(57)【要約】  表示内容を変更可能な表示機能を備えた付け爪を簡易な構成で実現する。爪形状に加工した透明な本体部１１の下面に、薄膜状の透明電極（ITO)を共通電極層１３として形成する。そして、本体部１１の下面に、本体部１１の下面に沿う形状に加工した表示シート１２を、表示シート１２の上面が共通電極層１３に覆われるように固着する。ここで、共通電極層１３は電子ペーパの共通電極１０２を構成するものであり、表示シート１２は電子ペーパの表示層１０１を構成する。表示層１０１の表示や表示内容の変更は、電子ペーパのドライバ層１０３の機能を付け爪１に提供する書換装置を用いて、付け爪１を爪に装着していない状態で行う。
2018043157.tif 000002
【特許請求の範囲】
【請求項１】
表示機能を備えた付け爪であって、
爪形状の透明な本体部と、
前記本体部の下面の下に積層された透明な導電層である共通電極層と、
下面が露出するように、前記共通電極層の下に積層された表示層とを備え、
前記表示層は、下面と上面との間に所定の電位差が与えられた位置において、当該電位差に応じた色を上方に対して表すと共に、当該電位差が解消された後も当該位置において当該色を表し続けることを特徴とする付け爪。
【請求項２】
表示機能を備えた付け爪であって、
爪形状の透明な導電性を有する本体部と、
下面が露出するように、前記本体部の下面の下に積層された表示層とを備え、
前記表示層は、下面と上面との間に所定の電位差が与えられた位置において、当該電位差に応じた色を上方に対して表すと共に、当該電位差が解消された後も当該位置において当該色を表し続けるシートであることを特徴とする付け爪。
【請求項３】
請求項１記載の付け爪と、
前記本体部の下面に、前記共通電極層と前記表示層とを封止するように貼り付ける保護シートとより構成される付け爪セット。
【請求項４】
請求項２記載の付け爪と、
前記本体部の下面に、当該本体部の下面と前記表示層とを封止するように貼り付ける保護シートとより構成される付け爪セット。
【発明の詳細な説明】
【技術分野】
【０００１】
本発明は、表示機能を備えた付け爪に関するものである。
【背景技術】
【０００２】
表示機能を備えた付け爪としては、電子ペーパと、電子ペーパに表示する画像データを受信するための通信機能と、受信した画像データが表す画像を電子ペーパに表示するための表示制御/駆動機能と、通信機能や表示制御/駆動機能に必要な電力の給電をワイヤレス電力伝送により受けるワイヤレス電力受電機能とを備えた付け爪が知られている（たとえば、特許文献１、２、３）。
【先行技術文献】
【特許文献】
【０００３】
【特許文献１】特開２００８-１６８０６２号公報
【特許文献２】特開２０１２-  ２００３５号公報
【特許文献３】特開２０１６-  ８３０６８号公報
【発明の概要】
【発明が解決しようとする課題】
【０００４】
上述した付け爪は、通信機能や表示制御/駆動機能やワイヤレス電力受電機能などの多くの機能を搭載しているため、低コスト、軽量に構成することが難しい。
また、電子ペーパの表示の高解像度化に伴って電子ペーパの構造も微細化、複雑化するため、電子ペーパ自体のコストも増加することとなる。
一方で、上述した付け爪の構成において、通信機能や表示制御/駆動機能やワイヤレス電力受電機能などは、電子ペーパの表示を変更する際にのみ使用される機能であるため、通常の付け爪の使用時においては必要のない冗長な構成である。【０００５】
そこで、本発明は、表示機能を備えた付け爪の表示内容の変更を可能としつつ、付け爪の構成を簡易化し、その低コスト化、軽量化を図ることを課題とする。
【課題を解決するための手段】
【０００６】
前記課題達成のために、表示機能を備えた付け爪として、爪形状の透明な本体部と、前記本体部の下面の下に積層された透明な導電層である共通電極層と、下面が露出するように、前記共通電極層の下に積層された表示層とを備えた付け爪を提供する。ここで、前記表示層は、下面と上面との間に所定の電位差が与えられた位置において、当該電位差に応じた色を上方に対して表すと共に、当該電位差が解消された後も当該位置において当該色を表し続けるものである。【０００７】
また、本発明は、このような付け爪と、前記本体部の下面に、前記共通電極層と前記表示層とを封止するように貼り付ける保護シートとより構成される付け爪セットも提供する。【０００８】
また、前記課題達成のために、本発明は、表示機能を備えた付け爪として、爪形状の透明な導電性を有する本体部と、下面が露出するように、前記本体部の下面の下に積層された表示層とを備えた付け爪を提供する。ここで、前記表示層は、下面と上面との間に所定の電位差が与えられた位置において、当該電位差に応じた色を上方に対して表すと共に、当該電位差が解消された後も当該位置において当該色を表し続けるものである。【０００９】
また、本発明は、このような付け爪と、前記本体部の下面に、当該本体部の下面と前記表示層とを封止するように貼り付ける保護シートとより構成される付け爪セットも提供する。【００１０】
以上のように、本発明に係る付け爪は、電子ペーパの共通電極として機能する共通電極層または導電性の本体部と、電子ペーパの表示層のみを備え、電子ペーパのドライバ層として機能する部位や、電子ペーパの表示制御/駆動機能を行う部位を備えていない。【００１１】
よって、付け爪の構成は極めて簡易であり、付け爪を低コスト化かつ軽量化することができる。
そして、このように付け爪を構成しても、電子ペーパのドライバ層や電子ペーパの表示駆動/制御の機能を備えた書換装置を、当該書換装置のドライバ層を、付け爪の表示層の露出している下面に当接させて用いることにより、付け爪の表示内容は変更することができる。【００１２】
また、この場合、付け爪の表示層の解像度は、書換装置のドライバ層の画素数に依存するので、個々の付け爪の構成、コストを変化させることなく付け爪の表示の解像度を向上することができる。
【発明の効果】
【００１３】
以上のように、本発明によれば、表示機能を備えた付け爪の表示内容の変更を可能としつつ、付け爪の構成を簡易化し、その低コスト化、軽量化を図ることができる。
【図面の簡単な説明】
【００１４】
【図１】本発明の実施形態に係る付け爪の構造を示す図である。
【図２】本発明の実施形態に係る液晶ペーパの構成を示す図である。
【図３】本発明の実施形態に係る付け爪の書換装置を示す図である。
【図４】本発明の実施形態に係る付け爪の装着のようすを示す図である。
【発明を実施するための形態】
【００１５】
以下、本発明の実施形態について説明する。
図１ａ１は付け爪１の上面を、図１ａ２は付け爪１の下面を、図１ａ３は付け爪１の上面を斜視したようすを、図１ａ４は付け爪１の下面を斜視したようすを、図１ａ５は付け爪１の分解図を、図１ａ６は図１ａ１の断面線A-Aによる断面端部を表している。
【００１６】
図示するように、付け爪１は、爪形状に加工した透明な本体部１１の下面に、本体部１１の下面に沿う形状に加工した表示シート１２を積層したものである。なお、表示シート１２上面と下面は上に膨らんだ曲面となっている。
【００１７】
次に、本体部１１の下面には、図１ｂに示すように薄膜状の透明電極（ITO)が共通電極層１３として形成されている。
そして、表示シート１２の上面は共通電極層１３に覆われており、表示シート１２の下面は下方に露出している。
さて、このような構造において、共通電極層１３は電子ペーパの共通電極を構成するものであり、表示シート１２は電子ペーパの表示層（インク層）を構成するものである。
ここで、図２ａに電子ペーパの構造を示す。
図２ａは、電気泳動方式の電子ペーパの構造を模式的に示したものである。
図示するように、電気泳動方式の電子ペーパは、表示層１０１と、表示層１０１の上面上に積層した透明な共通電極１０２と、表示層１０１の下面下に積層したドライバ層１０３とを備えた構造を備えている。
【００１８】
表示層１０１は、相互に逆方向に帯電した白と黒の粒子と流体とを収めた透明なマイクロカプセル１０１１をフレキシブルなシート状の基材にコーティングしたものである。
また、共通電極１０２は、表示層１０１の所定サイズの小領域の各々を画素として、全ての画素に共通の電極である。
また、ドライバ層１０３は、表示層１０１の各画素の下方に各々設けた電極を画素電極PXLとして、各画素電極PXLに、当該画素に表示する色に応じた電圧を印加する。
そして、表示層１０１の各画素に対応する小領域内の各マイクロカプセル１０１１内の白と黒の粒子は、当該画素の画素電極PXLに印加された電圧の共通電極１０２に対する電位の正負に応じて上下方向に移動し、当該画素の画素電極PXLに印加された電圧に応じた色を上方に表す。
【００１９】
そして、このようにして白と黒の粒子の移動によって上方に表された各画素の色は、画素電極PXLに電圧が印加されなくなっても、白と黒の粒子が位置を維持するため失われることはない。そして、この結果、電子ペーパに表示した画像は、電子ペーパに電力が供給されなくなっても、そのまま維持される。
【００２０】
さて、このようなドライバ層１０３としては、フレキシブル基板と有機TFT (Thin Film Transistor)を用いたフレキシブルなドライバ層１０３を用いることができる。
図２ｂは、有機TFT (Thin Film Transistor)を用いたドライバ層１０３を表したものであり、この場合、ドライバ層１０３は、画素毎に設けた画素電極PXLと、画素毎に設けた当該画素の画素電極PXLにドレインが接続したトランジスタTr（有機TFT）とを備えている。また、ドライバ層１０３は、画素の行毎に対応して設けられた対応する行の画素の有機TFTのソースに接続したソースバスラインＹと、画素の列毎に対応して設けられた対応する列の画素の有機TFTのゲートに接続したゲートバスラインＸとより構成される。
【００２１】
そして、このようなドライバ層１０３によれば、ソースバスラインＹとゲートバスラインＸによって、各画素の有機TFTの動作を制御して、各画素電極PXLの電圧を制御することができる。
【００２２】
さて、上述のように、本実施形態に係る付け爪１は、電子ペーパの共通電極１０２を構成する共通電極層１３と、電子ペーパの表示層１０１を構成する表示シート１２を備えているが、電子ペーパのドライバ層１０３を構成する要素を備えていないので、付け爪１は単体では表示シート１２の表示や表示内容の変更を行うことはできない。そこで、本実施形態では、ドライバ層１０３の機能を付け爪１に提供する書換装置を用いて、付け爪１の表示シート１２の表示や表示内容の変更を、付け爪１を爪に装着していない状態で行う。
【００２３】
図３ａに、このような書換装置の構成例を模式的に示す。
図示するように、書換装置は、入力装置３０１、表示装置３０２、制御装置３０３、ポンプ３０４、表示ドライバ３０５、ベース３０６、密閉フレーム３０７、密閉フレーム３０７に周縁が支持された弾性膜３０８、弾性膜３０８の下面に固定された共通電極用端子３０９、弾性膜３０８の下面に固定されたドライバ層シート３１０を備えている。
【００２４】
ここで、ドライバ層シート３１０は図２ｂに示した有機TFT (Thin Film Transistor)を用いたドライバ層１０３であり、このドライバ層シート３１０は各画素電極PXLが下方に露出するように弾性膜３０８の下面に弾性を有する接着材で固定されている。
【００２５】
さて、ベース３０６には付け爪１の上面の形状におおよそ沿った窪みが設けられており、図３ｂに示すように、この窪みに嵌め込むように付け爪１を上面を下にして載置した状態で、図３ｃに示すように、ベース３０６と嵌合するように密閉フレーム３０７でベース３０６の上方の空間を閉じると、弾性膜３０８の下面と付け爪１の下面とベース３０６の窪みの上面の一部で囲まれた密閉された空間が形成される。
【００２６】
そして、この状態で、ポンプ３０４によって、密閉された空間の空気を抜いて減圧すると、図３ｄに示すように、弾性膜３０８の下面と付け爪１の下面が密着するように弾性膜３０８が変形する。そして、弾性膜３０８の下面と付け爪１の下面が密着することによって、弾性膜３０８の下面に設けられたドライバ層シート３１０が、付け爪１の表示シート１２の下面に密着して当接し、弾性膜３０８の下面に設けられた共通電極用端子３０９が、付け爪１の下面の共通電極層１３に接続する。
【００２７】
そして、この図３ｄの状態は、制御装置３０３が、表示ドライバ３０５を介して、ドライバ層シート３１０のソースバスラインＹとゲートバスラインＸを駆動することにより、付け爪１の表示シート１２への画像の表示や、表示シート１２の表示内容の変更を行うことができる状態となる。
【００２８】
さて、このような書換装置の制御装置３０３には、予め付け爪１の模様として用いることのできる複数の画像が記憶されており、制御装置３０３は、入力装置３０１を介して受け付けたユーザまたはオペレータの操作に応じて、記憶している画像を表示装置３０２に表示すると共に、ユーザまたはオペレータの入力装置３０１の操作に応じて付け爪１の模様として用いる画像のユーザの選択を受け付ける。
【００２９】
また、制御装置３０３は、ベース３０６の窪みに付け爪１が載置され、密閉フレーム３０７でベース３０６の上方の空間を閉じた図３ｃの状態で、ユーザまたはオペレータから書込の指示を受けたならば、以下に示す書込処理を行う。
【００３０】
すなわち、この書込処理において、制御装置３０３は、まず、ポンプ３０４を駆動して、付け爪１と弾性膜３０８の間の空気を抜いて、図３ｄに示すドライバ層シート３１０の下面と表示シート１２が当接し、共通電極用端子３０９が共通電極層１３に接続する。そして、制御装置３０３は、次に、表示ドライバ３０５を介して、制御装置３０３が記憶している画像のうちからユーザによって選択された画像を表示シート１２に表示する。そして、画像を表示したならば、ポンプ３０４を制御して、付け爪１と弾性膜３０８の間の空気を戻し、書込処理を終了する。
【００３１】
次に、このようにして表示シート１２に画像を表示した付け爪１は、書換装置から取り外して、爪に装着することができる。また、書換装置において、再度、表示シート１２に表示する画像を書き換えることもできる。
【００３２】
ここで、図４は、付け爪１の爪への装着の手順を表したものであり、ユーザまたはオペレータは付け爪１の表示シート１２に所望の画像を表示したならば、まず、図４ａ１に示すように、付け爪１の下面に保護シート２を貼り付け、図４ａ２の断面図に示すように、保護シート２で共通電極層１３と表示シート１２を保護シート２と本体部１１の間に密封する。
【００３３】
そして、次に、図４ｂ、ｃ１、図４ｃ２の断面図に示すように保護シート２を下面に貼り付けた付け爪１を、爪の上に接着材（ネイルグルー）や接着両面テープや粘着材を用いて固定する。
【００３４】
但し、保護シート２を接着両面テープとして構成し、保護シート２によって付け爪１を、爪の上に固定するようにしてもよい。
さて、ユーザは、このようにして爪に装着した付け爪１の表示の変更を以下の手順で行うことができる。
すなわち、まず、付け爪１を指から取り外し、付け爪１の下面の保護シート２を剥がす。そして、付け爪１を上述のように書換装置に装着し、表示シート１２に所望の画像を表示させる。そして、書換装置から付け爪１を取り外して、付け爪１の下面に新しい保護シート２を貼り付け、保護シート２を貼り付けた付け爪１を爪の上に固定する。
【００３５】
以上、本発明の実施形態について説明した。
ところで、以上の実施形態は、表示シート１２を、電子ペーパの表示層１０１と、当該表示層１０１の上に当該表示層１０１の上面を覆うように積層された、電子ペーパの共通電極１０２として機能する透明な共通電極層１３とを備えたシートとして構成してもよい。なお、この場合、本体部１１に共通電極層１３を形成する必要はなく、表示シート１２を本体部１１の下面に直接積層して使用する。この場合、書換装置は、弾性膜３０８の下面に設けられた共通電極用端子３０９が、直接または表示シート１２の共通電極層１３に接続する配線を介して、当該共通電極層１３に接続するように構成する。なお、この共通電極層１３に接続するように設ける配線は、たとえば、本体１１の下面に透明な配線として設けるようにしてもよい。
【００３６】
また、以上の実施形態は、本体部１１を透明な導電性を有する材料を用いて構成し、共通電極層１３を省略するようにしてもよい。なお、この場合、本体部１１が電子ペーパの共通電極１０２として機能する。また、この場合、書換装置は、弾性膜３０８の下面に設けられた共通電極用端子３０９が、本体部１１に接続するように構成する。
【００３７】
以上のように本実施形態に係る付け爪１は、電子ペーパの共通電極１０２として機能する共通電極層１３または透明な導電性の本体部１１と、電子ペーパの表示層１０１のみを備え、電子ペーパのドライバ層１０３として機能する部位や、電子ペーパの表示制御/駆動機能を行う部位を備えていない。
【００３８】
よって、付け爪１の構成は極めて簡易であり、付け爪１を低コストかつ軽量に構成することができる。
そして、このように付け爪１を構成しても、電子ペーパのドライバ層１０３として機能するドライバ層シート３１０や電子ペーパの表示駆動/制御の機能を備えた書換装置を、当該書換装置のドライバ層シート３１０を、付け爪１の表示シート１２の露出している下面に当接させて用いることにより、表示シート１２の表示内容は変更することができる。
【００３９】
そして、この場合、付け爪１の表示シート１２の解像度は、書換装置のドライバ層シート３１０の画素数に依存するので、個々の付け爪１の構成、コストを変化させることなく付け爪１の表示の解像度を向上することができる。
【符号の説明】
【００４０】
１…付け爪、２…保護シート、１１…本体部、１２…表示シート、１３…共通電極層、１０１…表示層、１０２…共通電極、１０３…ドライバ層、３０１…入力装置、３０２…表示装置、３０３…制御装置、３０４…ポンプ、３０５…表示ドライバ、３０６…ベース、３０７…密閉フレーム、３０８…弾性膜、３０９…共通電極用端子、３１０…ドライバ層シート、１０１１…マイクロカプセル。
【図１】
2018043157.tif 000003
【図２】
2018043157.tif 000004
【図３】
2018043157.tif 000005
【図４】
2018043157.tif 000006
【国際調査報告】
2018043157.tif 000007
2018043157.tif 000008